(57)【要約】【課題】  マルチメディアコンセントにおいて、テレビターミナルと電話モジュラジャックやＬＡＮモジュラジャックなどを同列上に縦方向に配列して小型化を図る。【解決手段】  ３個のコンセントを縦方向に配列して装着可能なように３箇所の装着部を有する取付枠と、少なくとも１つのテレビターミナル２１及び少なくとも１つの電話モジュラジャック２２を備え、電話モジュラジャック２２はテレビターミナル２１に隣接して装着部の２箇所に装着され、電話モジュラジャック２２の電話ケーブルとの結線部２２ａは、テレビターミナル２１の同軸ケーブル接続部２１ａに同軸ケーブル３０を接続した状態で、同軸ケーブル３０を取付枠１０の装着面１０ａに投影したときに陰になる部分以外の位置に設ける。それにより、同軸ケーブル３０と電話モジュラジャック２２や電話ケーブルなどの干渉を回避する。【選択図】図２
2006236955.tif 000002
【特許請求の範囲】
【請求項１】
縦方向に３箇所の装着部を有する取付枠と、少なくとも１つのテレビターミナル及び少
なくとも１つの電話モジュラジャックを備えたマルチメディアコンセントであって、
前記電話モジュラジャックは前記テレビターミナルに隣接して前記装着部に装着され、
前記電話モジュラジャックの電話ケーブルとの結線部は、前記テレビターミナルの背面
の同軸ケーブル接続部にテレビ用同軸ケーブルを接続した状態で、前記同軸ケーブルを前
記取付枠の装着面に投影したときに陰になる部分以外の位置に設けられていることを特徴
とするマルチメディアコンセント。
【請求項２】
前記テレビターミナルの背面側の同軸ケーブル接続部が、前記取付枠の横方向の中心線
に対して非平行となるように設けられており、
前記電話モジュラジャックの電話ケーブルとの結線部は、前記同軸ケーブル接続部に同
軸ケーブルを接続した状態で、前記中心線に対して前記同軸ケーブルが引き出される側と
は反対側に偏って設けられていることを特徴とする請求項１のマルチメディアコンセント
。
【請求項３】
前記電話モジュラジャックの電話ケーブルとの結線部は、前記電話モジュラジャックの
縦方向の中心線に対して、前記テレビターミナルとは反対側に偏って設けられていること
を特徴とする請求項１のマルチメディアコンセント。
【請求項４】
前記テレビターミナルの同軸ケーブル接続部は、前記取付枠の装着面に対して垂直な方
向において、前記電話モジュラジャックの電話ケーブルとの結線部よりも前記装着面から
遠い位置に設けられていることを特徴とする請求項１乃至３のいずれかのマルチメディア
コンセント。
【請求項５】
前記取付枠の前面に装着されるカバー部材をさらに備え、
前記カバー部材は、前記取付枠の３つの装着部の内前記テレビターミナル及び前記電話
モジュラジャックが装着された装着部にそれぞれ対向する位置に形成されたテレビ用同軸
ケーブルの同軸コネクタが嵌装される同軸ケーブル用開口と、電話ケーブルのモジュラプ
ラグが嵌装される電話ケーブル用開口と、他の装着部に対向する位置に形成されたＬＡＮ
ケーブルのモジュラプラグが嵌装されるＬＡＮケーブル用開口と、前記ＬＡＮケーブル用
開口の近傍の背面に形成されたＬＡＮモジュラジャック装着部を有し、
前記ＬＡＮモジュラジャックは、前記取付枠の前面に装着されるカバー部材に対して着
脱自在に構成されていることを特徴とする請求項１のマルチメディアコンセント。
【請求項６】
前記取付枠の他の１つの装着部にＬＡＮモジュラジャックが装着されており、
前記テレビターミナルの背面側の同軸ケーブル接続部が、前記取付枠の横方向の中心線
に対して非平行となるように設けられており、
前記ＬＡＮモジュラジャックのＬＡＮケーブルとの結線部は、前記同軸ケーブル接続部
に同軸ケーブルを接続した状態で、前記中心線に対して前記同軸ケーブルが引き出される
側とは反対側に偏って設けられていることを特徴とする請求項１のマルチメディアコンセ
ント。
【請求項７】
少なくとも、前記テレビターミナル及び前記電話モジュラジャックが同一のハウジング
に一体化され、一体化されたハウジングが前記取付枠の３つの装着部の全体に亘って装着
されていることを特徴とする請求項１のマルチメディアコンセント。
【請求項８】
前記取付枠の３箇所の装着部の全体に亘って装着されるカバー部材をさらに備え、
前記カバー部材は、少なくとも、その表面側からテレビ用同軸ケーブルの同軸コネクタ
及び電話ケーブルのモジュラプラグがそれぞれ挿入される同軸ケーブルの同軸コネクタ挿
入孔及び電話ケーブルのモジュラプラグ挿入孔と、その背面側の前記同軸ケーブルの同軸
コネクタ挿入孔及び電話ケーブルのモジュラプラグ挿入孔の近傍にそれぞれ形成されたテ
レビターミナル装着部及び電話モジュラジャック装着部を有し、
少なくとも前記テレビターミナル及び前記電話モジュラジャックは、それぞれ前記カバ
ー部材のテレビターミナル装着部及び電話モジュラジャック装着部を介して前記取付枠に
装着されていることを特徴とする請求項１のマルチメディアコンセント。
【発明の詳細な説明】
【技術分野】
【０００１】
本発明は、電源コンセントと共に各部屋の壁面などに設置され、テレビターミナル、電
話モジュラジャック及びＬＡＮモジュラジャックなどを備えたマルチメディアコンセント
に関する。
【背景技術】
【０００２】
近年、家庭内ＬＡＮの普及により、各部屋の壁面に、電源コンセントやテレビターミナ
ルと共に電話モジュラジャックやＬＡＮモジュラジャックなどを備えたマルチメディアコ
ンセントが設置されつつある。従来のマルチメディアコンセントを図９に示す。この従来
のマルチメディアコンセントは、縦方向に最大３個のコンセントなどが配列可能な取付枠
１０を横方向に３列並べたものであり、向かって左側から順に電源コンセント２０、テレ
ビターミナル２１、電話モジュラジャック２２及びＬＡＮモジュラジャック２３が配列さ
れている。
【０００３】
テレビターミナル２１の背面の同軸ケーブル接続部２１ａには、先端部に同軸コネクタ
を備えた同軸ケーブル３０（図１０（ｂ）参照）が接続されるが、この同軸ケーブルは太
く、かつ、堅いため、同軸ケーブルを急角度で曲げることは困難である。そのため、テレ
ビターミナル２１は、設置スペースを必要とし、電話モジュラジャック２２やＬＡＮモジ
ュラジャック２３とは別に単独で配置されている。
【０００４】
このようなマルチメディアコンセントを用いることにより、テレビ用同軸ケーブル、電
話ケーブル及びＬＡＮケーブルを壁の内側に隠すことができるので、配線器具としてとて
も有用なものであるが、従来の単独の電源コンセント又は電源コンセントとテレビ用コン
セントを備えたものに比べて、壁面の専有面積が大きい。壁面の専有面積が大きくなると
、マルチメディアコンセントの設置場所が限定されたり、あるいは家具などの配置の自由
度が制限されたりするという問題を生じる。そのため、マルチメディアコンセントの小型
化が要求されている。
【０００５】
図１０は、従来のテレビターミナル２１、電話モジュラジャック２２及びＬＡＮモジュ
ラジャック２３を、単純に１つの取付枠１０の各装着部１１〜１３に装着した状態を示す
。図１０から明らかなように、テレビ用同軸ケーブル３０が電話モジュラジャック２２及
びＬＡＮモジュラジャック２３と配置上干渉して、同軸ケーブル３０をテレビターミナル
２１の同軸ケーブル接続部２１ａに接続することができない。なお、図１０には描かれて
いないが、壁の内側にボックスが設置されている場合にも対応できなければいけないので
、テレビターミナル２１を取付枠１０の最下位の装着部１３に設置することは妥当ではな
い。
【０００６】
なお、マルチメディアコンセントにおけるテレビターミナル、電話モジュラジャック、
ＬＡＮモジュラジャックなどの配置に関するものとしては、特許文献１に記載されたもの
が知られている。特許文献１に記載されたマルチメディアコンセントは、建築現場での取
付ミスの防止を目的としており、テレビターミナルの大きさを通常のテレビターミナル２
個分の大きさにしている。特許文献１では、マルチメディアコンセントの小型化は考慮さ
れていない。
【特許文献１】特開２００２−２５２０６５号公報
【発明の開示】
【発明が解決しようとする課題】
【０００７】
本発明は、上記従来例の問題を解決するためになされたものであり、壁面の専有面積を
小さくすることが可能な小型のマルチメディアコンセントを提供することを目的とする。
【課題を解決するための手段】
【０００８】
上記目的を達成するために請求項１の発明は、縦方向に３箇所の装着部を有する取付枠
と、少なくとも１つのテレビターミナル及び少なくとも１つの電話モジュラジャックを備
えたマルチメディアコンセントであって、前記電話モジュラジャックは前記テレビターミ
ナルに隣接して前記装着部に装着され、前記電話モジュラジャックの電話ケーブルとの結
線部は、前記テレビターミナルの背面の同軸ケーブル接続部にテレビ用同軸ケーブルを接
続した状態で、前記同軸ケーブルを前記取付枠の装着面に投影したときに陰になる部分以
外の位置に設けられていることを特徴とする。
【０００９】
請求項２の発明は、請求項１のマルチメディアコンセントにおいて、前記テレビターミ
ナルの背面側の同軸ケーブル接続部が、前記取付枠の横方向の中心線に対して非平行とな
るように設けられており、前記電話モジュラジャックの電話ケーブルとの結線部は、前記
同軸ケーブル接続部に同軸ケーブルを接続した状態で、前記中心線に対して前記同軸ケー
ブルが引き出される側とは反対側に偏って設けられていることを特徴とする。
【００１０】
請求項３の発明は、請求項１のマルチメディアコンセントにおいて、前記電話モジュラ
ジャックの電話ケーブルとの結線部は、前記電話モジュラジャックの縦方向の中心線に対
して、前記テレビターミナルとは反対側に偏って設けられていることを特徴とする。
【００１１】
請求項４の発明は、請求項１乃至３のいずれかのマルチメディアコンセントにおいて、
前記テレビターミナルの同軸ケーブル接続部は、前記取付枠の装着面に対して垂直な方向
において、前記電話モジュラジャックの電話ケーブルとの結線部よりも前記装着面から遠
い位置に設けられていることを特徴とする。
【００１２】
請求項５の発明は、請求項１のマルチメディアコンセントにおいて、前記取付枠の前面
に装着されるカバー部材をさらに備え、前記カバー部材は、前記取付枠の３つの装着部の
内前記テレビターミナル及び前記電話モジュラジャックが装着された装着部にそれぞれ対
向する位置に形成されたテレビ用同軸ケーブルの同軸コネクタが嵌装される同軸ケーブル
用開口と、電話ケーブルのモジュラプラグが嵌装される電話ケーブル用開口と、他の装着
部に対向する位置に形成されたＬＡＮケーブルのモジュラプラグが嵌装されるＬＡＮケー
ブル用開口と、前記ＬＡＮケーブル用開口の近傍の背面に形成されたＬＡＮモジュラジャ
ック装着部を有し、前記ＬＡＮモジュラジャックは、前記取付枠の前面に装着されるカバ
ー部材に対して着脱自在に構成されていることを特徴とする。
【００１３】
請求項６の発明は、請求項１のマルチメディアコンセントにおいて、前記取付枠の他の
１つの装着部にＬＡＮモジュラジャックが装着されており、前記テレビターミナルの背面
側の同軸ケーブル接続部が、前記取付枠の横方向の中心線に対して非平行となるように設
けられており、前記ＬＡＮモジュラジャックのＬＡＮケーブルとの結線部は、前記同軸ケ
ーブル接続部に同軸ケーブルを接続した状態で、前記中心線に対して前記同軸ケーブルが
引き出される側とは反対側に偏って設けられていることを特徴とする。
【００１４】
請求項７の発明は、請求項１のマルチメディアコンセントにおいて、少なくとも前記テ
レビターミナル及び前記電話モジュラジャックが同一のハウジングに一体化され、一体化
されたハウジングが前記取付枠の３つの装着部の全体に亘って装着されていることを特徴
とする。
【００１５】
請求項８の発明は、請求項１のマルチメディアコンセントにおいて、前記取付枠の３箇
所の装着部の全体に亘って装着されるカバー部材をさらに備え、前記カバー部材は、少な
くとも、その表面側からテレビ用同軸ケーブルの同軸コネクタ及び電話ケーブルのモジュ
ラプラグがそれぞれ挿入される同軸ケーブルの同軸コネクタ挿入孔及び電話ケーブルのモ
ジュラプラグ挿入孔と、その背面側の前記同軸ケーブルの同軸コネクタ挿入孔及び電話ケ
ーブルのモジュラプラグ挿入孔の近傍にそれぞれ形成されたテレビターミナル装着部及び
電話モジュラジャック装着部を有し、少なくとも前記テレビターミナル及び前記電話モジ
ュラジャックは、それぞれ前記カバー部材のテレビターミナル装着部及び電話モジュラジ
ャック装着部を介して前記取付枠に装着されていることを特徴とする。
【発明の効果】
【００１６】
請求項１の発明によれば、電話モジュラジャックの電話ケーブルとの結線部が、テレビ
ターミナルの背面の同軸ケーブル接続部にテレビ用同軸ケーブルを接続した状態で、同軸
ケーブルと物理的に干渉しない位置に設けられているので、電話モジュラジャックをテレ
ビターミナルに隣接して装着するという条件の下では、テレビターミナルと電話モジュラ
ジャックを同じ取付枠に装着することができる。取付枠の他の１つの装着部には、ＬＡＮ
モジュラジャックを装着してもよいし、電話モジュラジャックをもう１つ装着してもよい
し、あるいはコンセントを装着しなくてもよい。また、テレビターミナルは取付枠の３つ
の装着部のうちどの位置にあってもよく、最上位又は中央に位置している場合は、同軸ケ
ーブルが下側から接続されるような向きに装着することが好ましい。また、テレビターミ
ナルが取付枠の装着部の最下位に位置しているときは、同軸ケーブルが上側から接続され
るような向きに装着する。それにより、壁の内側にボックスが設けられていても、マルチ
メディアコンセントの設置が可能である。なお、縦方向とは、取付枠が壁面に固定された
状態で垂直な方向を意味する。
【００１７】
請求項２の発明によれば、テレビターミナルの背面側の同軸ケーブル接続部が、取付枠
の横方向の中心線に対して非平行、すなわち中心線に対して斜めに設けられているので、
同軸ケーブルは取付枠の中心線に対して斜め方向から接続され、かつ、斜め方向に引き出
される。また、電話モジュラジャックの電話ケーブルとの結線部は、同軸ケーブル接続部
に同軸ケーブルを接続した状態で、前記中心線に対して同軸ケーブルが引き出される側と
は反対側に偏って設けられているので、テレビ用同軸ケーブルと電話モジュラジャックの
結線部又は電話ケーブルとの距離を確保することができる。また、電話モジュラジャック
と電話ケーブルの結線作業がテレビターミナルの同軸ケーブル接続部によって妨げられる
ことがなく、結線作業を効率良く行うことができる。なお、横方向とは、取付枠が壁面に
固定された状態で水平な方向を意味する。テレビターミナルは、上下を逆にして取付枠に
装着することが可能である。一方、電話モジュラジャック及びＬＡＮモジュラジャックは
、モジュラジャックのカバーなどの方向性があるため、上下を逆にして取付枠に装着する
ことはできない。従って、テレビターミナルを取付枠の３つの装着部の最下位に装着する
場合、それ以外の位置に装着する場合と同じテレビターミナル又は電話モジュラジャック
を用いることはできないので、テレビターミナル又は電話モジュラジャックを左右対称に
した２種類用意する必要がある。
【００１８】
請求項３の発明によれば、電話モジュラジャックの電話ケーブルとの結線部が、電話モ
ジュラジャックの縦方向の中心線に対して、テレビターミナルとは反対側に偏って設けら
れているので、電話モジュラジャックの電話ケーブルとの結線部とテレビターミナルの同
軸ケーブル接続部の距離をさらに遠くすることができる。そのため、電話モジュラジャッ
クと電話ケーブルの結線作業をさらに効率良く行うことができる。
【００１９】
請求項４の発明によれば、テレビターミナルの同軸ケーブル接続部が、取付枠の装着面
に対して垂直な方向（壁の奥行き方向）において、電話モジュラジャックの電話ケーブル
との結線部よりも装着面から遠い位置に設けられているので、取付枠を下にして結線作業
を行うと仮定すると、テレビ用同軸ケーブルが電話ケーブルの上側に位置する。そのため
、テレビ用同軸ケーブルと電話ケーブルとが干渉することを防止することができると共に
、壁の裏側での配線処理をスムーズに行うことができる。
【００２０】
一般的に、ＬＡＮモジュラジャックの本体部は、テレビターミナルの本体部に比べて小
さいので、テレビターミナルや電話モジュラジャックと同じ取付枠に装着するために、モ
ジュラジャック本体部よりも大きなベース部を有している。そのため、請求項５の発明に
よれば、ＬＡＮモジュラジャックを取付枠に直接装着するのではなく、取付枠の前面に装
着されるカバー部材に装着する用に構成したので、取付枠に予めテレビターミナルと電話
モジュラジャックのみを装着しておき、電話モジュラジャックに電話ケーブルを結線し、
さらにテレビターミナルに同軸ケーブルを接続した後、別にＬＡＮケーブルと結線された
ＬＡＮモジュラジャックをカバー部材に装着し、最後にカバー部材を取付枠に装着するこ
とができる。その結果、ＬＡＮモジュラジャックとＬＡＮケーブル結線作業がテレビター
ミナルの同軸ケーブル接続部によって妨げられることがなく、結線作業を効率良く行うこ
とができる。
【００２１】
請求項６の発明によれば、取付枠の他の１つの装着部にＬＡＮモジュラジャックが装着
されている場合、請求項２の発明の場合と同様に、テレビターミナルの背面側の同軸ケー
ブル接続部が、取付枠の横方向の中心線に対して非平行、すなわち中心線に対して斜めに
設けられているので、同軸ケーブルは取付枠の中心線に対して斜め方向から接続される。
また、ＬＡＮモジュラジャックのＬＡＮケーブルとの結線部は、同軸ケーブル接続部に同
軸ケーブルを接続した状態で、前記中心線に対して同軸ケーブルが引き出される側とは反
対側に偏って設けられているので、テレビ用同軸ケーブルとＬＡＮケーブルとの距離を確
保することができる。また、ＬＡＮモジュラジャックとＬＡＮケーブルの結線作業がテレ
ビターミナルの同軸ケーブル接続部によって妨げられることがなく、結線作業を効率良く
行うことができる。
【００２２】
請求項７の発明によれば、少なくともテレビターミナル及び電話モジュラジャックが同
一のハウジングに一体化されているので、建築現場での結線作業の際、テレビターミナル
及び電話モジュラジャックの取付ミスを防止することができる。なお、必要に応じてＬＡ
Ｎモジュラジャックをテレビターミナル及び電話モジュラジャックと共に一体化してもよ
いことは言うまでもない。
【００２３】
請求項８の発明によれば、少なくともテレビターミナル及び電話モジュラジャックが、
汎用の取付枠に直接装着されるのではなく、専用のカバー部材を介して装着されるので、
上記請求項７の場合と同様に、建築現場での結線作業の際、テレビターミナル及び電話モ
ジュラジャックの取付ミスを防止することができる。また、必要に応じてＬＡＮモジュラ
ジャックをテレビターミナル及び電話モジュラジャックと共にカバー部材に装着してもよ
いことは言うまでもない。
【発明を実施するための最良の形態】
【００２４】
本発明の一実施形態に係るマルチメディアコンセントについて説明する。図１（ａ）〜
（ｄ）は、それぞれ本実施形態におけるマルチメディアコンセント１の配置のバリエーシ
ョンを示す正面図である。各図に示すように、取付枠１０は、３個のコンセントを縦方向
（取付枠が壁面に固定された状態で上下な方向）に配列して装着可能なように３箇所の装
着部１１、１２及び１３を有する。この取付枠１０は、従来から使用されている汎用品で
ある。本実施形態では、３つの装着部１１〜１３にそれぞれテレビターミナル２１、電話
モジュラジャック２２及びＬＡＮモジュラジャック２３がそれぞれ装着されている。そし
て、必ず電話モジュラジャック２２はテレビターミナル２１に隣接して装着されている。
【００２５】
電話モジュラジャック２２及びＬＡＮモジュラジャック２３の背面にも、電話ケーブル
やＬＡＮケーブルと接続するための結線部２２ａ及び２３ａ（図１０（ｂ）参照）が設け
られている。電話ケーブルに比べてＬＡＮケーブルの方がその内部の線数が多い。そのた
め、一般的に、ＬＡＮモジュラジャック２３の結線部２３ａの方が電話モジュラジャック
の結線部よりも奥行きが大きい。また、ＬＡＮケーブルの方が電話ケーブルよりも直径が
太く、急角度に曲げることは困難である。そのため、テレビターミナル２１に隣接して電
話モジュラジャック２２を装着することにより、テレビ用同軸ケーブル３０（図２（ｂ）
など参照）を引き回すスペースをより広く確保することができる。
【００２６】
図２（ａ）〜（ｃ）は、マルチメディアコンセント１の背面図であって、特に隣接する
テレビターミナル２１と電話モジュラジャック２２の構成を示している。テレビターミナ
ル２１の背面に設けられた同軸ケーブル接続部２１ａは、取付枠１０の横方向（取付枠１
０が壁面に固定された状態で水平な方向）の中心線Ｌ１に対して所定角度を成すように、
非平行に設けられている。同軸ケーブル接続部２１ａと同軸ケーブル３０との接続は、取
付枠１０の装着面１０ａ（図３参照）と平行な面上で行われ、同軸ケーブル３０は取付枠
１０の装着面１０ａと略平行で、かつ中心線Ｌ１に対して上記所定角度を成すように引き
出される。
【００２７】
一方、電話モジュラジャック２２の電話ケーブルとの結線部２２ａは、中心線Ｌ１に対
して同軸ケーブル３０が引き出される側とは反対側に偏って設けられている。図２（ａ）
〜（ｃ）では、それぞれ同軸ケーブル３０は中心線Ｌ１よりも右側に引き出され、電話モ
ジュラジャック２２の結線部２２ａは、中心線Ｌ１よりも左側に設けられている。また、
図２（ａ）では、電話モジュラジャック２２の結線部２２ａは、電話モジュラジャック２
２の縦方向の中心線Ｌ２に対してテレビターミナル２１側に偏った位置に設けられている
。図２（ｂ）では、結線部２２ａは、電話モジュラジャック２２の縦方向の中心線Ｌ２に
対して略対称の位置に設けられている。図２（ｃ）では、結線部２２ａは、電話モジュラ
ジャック２２の縦方向の中心線Ｌ２に対してテレビターミナル２１とは反対側に偏った位
置に設けられている。
【００２８】
電話モジュラジャック２２の結線部２２ａは、４本の電線の先端部が絶縁被覆を剥がさ
れた状態で挿入される４つの孔と、各孔の内部に嵌装された端子と、各電線の先端部をそ
れぞれ端子に圧接させるばねなどで構成されている、いわゆる速結端子である。一般的に
、テレビ用同軸ケーブルは、その先端に同軸コネクタが設けられており、テレビターミナ
ル２１の同軸ケーブル接続部２１ａとの接続作業は容易である。それに対して、電話モジ
ュラジャック２２の結線部２２ａと電話ケーブルの接続には、電線の絶縁被覆を剥離する
作業などが必要である。そのため、建築現場などで行われる結線作業では、通常、先に電
話モジュラジャック２２の結線部２２ａに電話ケーブルを結線し、そのあとで同軸ケーブ
ル３０をテレビターミナル２１の同軸ケーブル接続部２１ａに接続する。そのため、電話
モジュラジャック２２の結線部２２ａは、テレビターミナル２１の同軸ケーブル接続部２
１ａに同軸ケーブル３０を接続した状態で、同軸ケーブル３０を取付枠１０の装着面に投
影したときに陰になる部分以外の位置に設けられていれば十分である。それにより、テレ
ビ用同軸ケーブル３０と電話モジュラジャック２２の結線部２２ａ又は電話ケーブルとの
距離を確保することができると共に、電話モジュラジャック２２の結線部２２ａと電話ケ
ーブルの結線作業がテレビターミナル２１の同軸ケーブル接続部２１ａによって妨げられ
ることがなく、結線作業を効率良く行うことができる。なお、図２（ｃ）に示すように、
電話モジュラジャック２２の結線部２２ａを、電話モジュラジャック２２の縦方向の中心
線Ｌ２に対して、テレビターミナル２１とは反対側に偏って設けることにより、電話モジ
ュラジャック２２の結線部２２ａとテレビターミナル２１の同軸ケーブル接続部２１ａの
距離をさらに遠くすることができる。そのため、電話モジュラジャック２２と電話ケーブ
ルの結線作業をさらに効率良く行うことができる。
【００２９】
さらに、図３に示すように、テレビターミナル２１の同軸ケーブル接続部２１ａは、取
付枠１０の装着面１０ａに対して垂直な方向（壁の奥行き方向）において、電話モジュラ
ジャック２２の電話ケーブルとの結線部２２ａよりも装着面１０ａから遠い位置に設けら
れている。建築現場において、取付枠１０を下にして結線作業を行うと仮定すると、テレ
ビ用同軸ケーブル３０が電話ケーブル（図示せず）の上側に位置する。そのため、テレビ
用同軸ケーブル３０と電話ケーブルとが干渉することを防止することができる。また、結
線作業を終えたマルチメディアコンセント１を壁面に固定する際、壁の裏側での配線処理
をスムーズに行うことができる。
【００３０】
一般的に、ＬＡＮモジュラジャック２３の本体部は、テレビターミナル２１の本体部や
電話モジュラジャック２２の本体部に比べて幅方向及び厚さ方向において小さいので、テ
レビターミナル２１や電話モジュラジャック２２と同じ汎用の取付枠１０に装着するため
に、モジュラジャック本体部よりも大きなベース部を有している。本出願人は、例えば特
開２００４−３１９２０７号公報に記載されているように、建築現場でも比較的容易に結
線作業を行うことができる小型で汎用性のあるモジュラジャックを提案している。図４は
、このような小型のモジュラジャックをＬＡＮモジュラジャック２３’とし、ＬＡＮモジ
ュラジャック２３’を取付枠１０の装着部１１〜１３に直接装着するのではなく、取付枠
１０の前面に装着されるカバー部材１５に装着した変形例を示している。その場合、取付
枠１０にはテレビターミナル２１及び電話モジュラジャック２２のみを装着しておき、電
話モジュラジャック２２に電話ケーブルを結線し、さらにテレビターミナル２１に同軸ケ
ーブル３０を接続した後、別にＬＡＮケーブルと結線されたＬＡＮモジュラジャック２３
’をカバー部材１５に装着し、最後にカバー部材１５を取付枠１０に装着する。それによ
り、ＬＡＮモジュラジャック２３’とＬＡＮケーブル結線作業がテレビターミナル２１の
同軸ケーブル接続部２１ａなどによって妨げられることがなく、結線作業を効率良く行う
ことができる。
【００３１】
カバー部材１５は、取付枠１０の３つの装着部１１〜１３の内、テレビターミナル２１
及び電話モジュラジャック２２が装着された装着部（例えば１１及び１２）にそれぞれ対
向する位置に形成されたテレビ用同軸ケーブルの同軸コネクタが嵌装される同軸ケーブル
用開口１５ａと、電話ケーブルのモジュラプラグが嵌装される電話ケーブル用開口１５ｂ
と、他の装着部（例えば１３）に対向する位置に形成されたＬＡＮケーブルのモジュラプ
ラグが嵌装されるＬＡＮケーブル用開口１５ｃと、ＬＡＮケーブル用開口１５ｃの近傍の
背面に形成されたＬＡＮモジュラジャック装着部１５ｄを有し、ＬＡＮモジュラジャック
２３’は、カバー部材１５のＬＡＮモジュラジャック装着部１５ｄに対して着脱自在に構
成されている。
【００３２】
図５は、ＬＡＮモジュラジャック２３の他の構成例を示す図であり、（ａ）は背面図、
（ｂ）は底面図である。但し、図５（ｂ）では同軸ケーブル接続部２１ａを省略している
。ＬＡＮモジュラジャック２３のＬＡＮケーブルとの結線部２３ａは、テレビターミナル
２１の同軸ケーブル接続部２１ａに同軸ケーブル３０を接続した状態で、中心線Ｌ１に対
して同軸ケーブル３０が引き出される側とは反対側に偏って設けられている。このような
構成により、テレビ用同軸ケーブル３０とＬＡＮケーブル（図示せず）との距離を確保す
ることができる。また、ＬＡＮモジュラジャック２３とＬＡＮケーブルの結線作業がテレ
ビターミナルの同軸ケーブル接続部によって妨げられることがなく、結線作業を効率良く
行うことができる。
【００３３】
図６は、ＬＡＮモジュラジャック２３がテレビターミナル２１に隣接して設けられた変
形例を示す。取付枠１０にテレビターミナル２１及びＬＡＮモジュラジャック２３が隣接
して装着されている状態では、ＬＡＮモジュラジャック２３の結線部２３ａにＬＡＮコー
ドを結線する作業は非常に困難である。しかしながら、上記のようにＬＡＮモジュラジャ
ック２３のモジュラジャック本体部をベース部材に対して着脱可能にすれば、このような
構成も可能である。その場合、ＬＡＮモジュラジャック２３のＬＡＮケーブルとの結線部
２３ａが中心線Ｌ１に対して同軸ケーブル３０が引き出される側とは反対側に偏って設け
られているので、テレビ用同軸ケーブル３０とＬＡＮモジュラジャック２３の結線部２３
ａ又は結線部に結線されたＬＡＮケーブルが物理的に干渉することはない。
【００３４】
図７は、テレビターミナル２１、電話モジュラジャック２２及びＬＡＮモジュラジャッ
ク２３が、同一のハウジング１６に一体化された変形例を示す。この変形例では、一体化
されたハウジング１６が、取付枠１０の３つの装着部１１〜１３の全体に亘って装着され
る。このように、テレビターミナル２１、電話モジュラジャック２２及びＬＡＮモジュラ
ジャック２３を、同一のハウジング１６に一体化することにより、建築現場での結線作業
の際、テレビターミナル及び電話モジュラジャックの取付ミスを防止することができる。
【００３５】
図８は、テレビターミナル２１、電話モジュラジャック２２及びＬＡＮモジュラジャッ
ク２３をそれぞれ取付枠１０の装着部１１〜１３に直接装着可能な汎用品とせず、それぞ
れを独自規格のモジュール２１”、２２”及び２３”とし、各モジュールを取付枠１０の
装着部１１〜１３に装着されるカバー部材又は取付枠１０を兼ねたカバー部材１７に装着
した変形例を示す。カバー部材１７の背面には、各モジュール２１”、２２”及び２３”
が着脱可能に係合される爪などの装着部１７ａが形成されている。図７に示す変形例との
違いは、各モジュール２１”、２２”及び２３”がハウジングに一体化されていないため
、用途に応じて様々なモジュールの組み合わせが可能である。例えば、テレビターミナル
モジュール２１”としては、分配配線用のテレビターミナルや送り配線用の中継用／端末
用テレビターミナルなどとすることができる。また、ＬＡＮモジュラジャックモジュール
２３”としても、ＣＡＴ５Ｅ（カテゴリー５Ｅ）対応のものやＣＡＴ６（カテゴリー６）
対応のものなど、用途に応じて様々なものを組み合わせることができる。
【００３６】
なお、上記各実施形態では、同軸ケーブル接続部２１ａとして同軸コネクタが接続され
るタイプのものを例示したが、本発明はこれに限定されるものではなく、同軸ケーブルの
絶縁被覆を剥離して心線を露出させ、その心線を直接ねじ止めするタイプのものであって
もよく、その場合でも同様の効果が得られることは言うまでもない。
【図面の簡単な説明】
【００３７】
【図１】図１（ａ）〜（ｄ）は、それぞれ本発明の一実施形態に係るマルチメディアコンセントの配置のバリエーションを示す正面図である。
【図２】図２（ａ）〜（ｃ）は、それぞれ上記一実施形態に係るマルチメディアコンセントにおける隣接するテレビターミナルと電話モジュラジャックの構成例を示す背面図である。
【図３】図３は、上記一実施形態に係るマルチメディアコンセントの構成を示す側面図である。
【図４】図４（ａ）及び（ｂ）は、上記一実施形態に係るマルチメディアコンセントの変形例を示す正面図及び底面図である。
【図５】図５（ａ）及び（ｂ）は、それぞれ上記一実施形態に係るマルチメディアコンセントの他の変形例を示す背面図及び底面図である。
【図６】図６は、上記一実施形態に係るマルチメディアコンセントのさらに他の変形例を示す背面図である。
【図７】図７（ａ）〜（ｃ）は、それぞれ上記一実施形態に係るマルチメディアコンセントのさらに他の変形例を示す正面図、側面図及び背面図である。
【図８】図８（ａ）〜（ｄ）は、それぞれ上記一実施形態に係るマルチメディアコンセントのさらに他の変形例を示す正面図、側面図、背面図及び分解した状態を示す側面図である。
【図９】図９は、従来の一般的なマルチメディアコンセントの配置を示す正面図である。
【図１０】図１０（ａ）〜（ｃ）は、それぞれ従来のテレビターミナル、電話モジュラジャック及びＬＡＮモジュラジャックを単純に１つの取付枠に装着したときの問題点を示す正面図、側面図及び背面図である。
【符号の説明】
【００３８】
１  マルチメディアコンセント
１０  取付枠
１０ａ  装着面
１１〜１３  装着部
１５、１７  カバー部材
１６  ハウジング
２１  テレビターミナル
２１ａ  同軸ケーブル接続部
２２  電話モジュラジャック
２２ａ  結線部
２３、２３’  ＬＡＮモジュラジャック
２３ａ  結線部
２１”〜２３”  モジュール
３０  同軸ケーブル
【図１】
2006236955.tif 000003
【図２】
2006236955.tif 000004
【図３】
2006236955.tif 000005
【図４】
2006236955.tif 000006
【図５】
2006236955.tif 000007
【図６】
2006236955.tif 000008
【図７】
2006236955.tif 000009
【図８】
2006236955.tif 000010
【図９】
2006236955.tif 000011
【図１０】
2006236955.tif 000012